(57)【要約】【課題】回路基板に対して実装しやすい方向からコネクタハウジングを組み付けることができると共に、回路基板側の導体に何ら傷やバリ等を生じさせる心配のない基板用コネクタの実装構造を提供する。【解決手段】回路基板１０の側縁部に長方形状の切欠１１を形成し、その切欠の中央の側縁を端子配列側縁部１１ａ、残りの互いに対向する側縁をコネクタハウジング支持側縁部１１ｂとし、端子配列側縁部に、外方に向けて互いに平行に突出した多数の端子１３を配列する。一方、切欠１１に嵌まる大きさのコネクタハウジング２０の下面に、切欠１１の上方からコネクタハウジング２０を切欠１１に装着した際に、端子１３がそれぞれ収容される端子収容溝２３を形成し、切欠１１にコネクタハウジング２０を嵌め込むことで、各端子収容溝２３に端子１３を収容して、それにより、端子１３をコネクタ端子と使用する基板用コネクタＭを構成する。【選択図】図１
2011076751.tif 000002
【特許請求の範囲】
【請求項１】
回路基板の側縁部に、１つの側縁が外方に開放し、残る直線状の３つの側縁で画成された長方形状の切欠を形成し、その長方形状の切欠の前記直線状の３つの側縁のうち、真っ直ぐ外方を向いた中央の側縁を端子配列側縁部とし、該端子配列側縁部に、該端子配列側縁部から外方に向けて互いに平行に突出し且つ当該端子配列側縁部の長手方向に沿って配列された多数の端子を設け、
一方、前記回路基板の長方形状の切欠に嵌まる大きさのコネクタハウジングの下面に、前記切欠の上方ないし側方から前記コネクタハウジングを該切欠に装着した際に、前記端子がそれぞれ収容される端子収容溝を形成し、
前記切欠に前記コネクタハウジングを嵌め込むことで、前記各端子収容溝に前記端子を収容し、それにより、前記端子をコネクタ端子とする基板用コネクタを構成したことを特徴とする基板用コネクタの実装構造。
【請求項２】
請求項１記載の基板用コネクタの実装構造であって、
前記コネクタハウジングに、相手コネクタを嵌合するためのフード部の後面壁として、前記回路基板に対して略垂直な端子支持壁が設けられており、該端子支持壁の下部に前記端子収容溝が形成されると共に、その上部の端子支持壁上に前記端子とは別の接続端子が貫通保持され、前記端子支持壁の後方に突き出した前記接続端子の後端部が前記回路基板上の回路導体に接合され、該接続端子の前記端子支持壁からフード部内に突き出した前端部が、前記基板用コネクタの別のコネクタ端子とされていることを特徴とする基板用コネクタの実装構造。
【請求項３】
請求項１または２に記載の基板用コネクタの実装構造であって、
前記長方形状の切欠の直線状の３つの側縁のうち、残りの互いに対向する２つの側縁をコネクタハウジング支持側縁部とすると共に、前記コネクタハウジングの両外側部に、前記コネクタハウジング支持側縁部に載る載置部を設け、
前記切欠に前記コネクタハウジングを嵌め込むことで、前記コネクタハウジングの載置部を前記回路基板のコネクタハウジング支持側縁部に載せたことを特徴とする基板用コネクタの実装構造。
【請求項４】
請求項３に記載の基板用コネクタの実装構造であって、
前記コネクタハウジングの載置部に、前記基板用コネクタの回路の中の一部の回路を構成するための導体が設けられており、その導体が、前記コネクタハウジング支持側縁部上に形成された回路導体に接続されていることを特徴とする基板用コネクタの実装構造。
【発明の詳細な説明】
【技術分野】
【０００１】
本発明は、回路基板に対してコネクタを実装した基板用コネクタの実装構造に関するものである。
【背景技術】
【０００２】
図５は、例えば、特許文献１に記載された従来の基板用コネクタの実装構造の説明図であり、コネクタを実装する前の状態を示す斜視図である。
【０００３】
この図５に示す実装構造では、回路基板１１０にコネクタ１２０を実装するに当たり、コネクタハウジング１２１に予め収容したコネクタ端子の端部に摺動接触部１２２を形成しておき、コネクタハウジング１２１を矢印Ｃのように回路基板１１０と平行な方向にスライドさせて、コネクタハウジング１２１の下部に形成してある取付部１２５を回路基板１１０の側縁部に嵌め込むことで、コネクタハウジング１２１を回路基板１１０に装着し、同時に、各コネクタ端子の摺動接触部１２２を回路基板１１０上の回路導体１１２に摺動させることで、コネクタ端子を回路基板上の回路導体に導通させるようにしている。
【先行技術文献】
【特許文献】
【０００４】
【特許文献１】特開２０００−１８２６９４号公報
【発明の概要】
【発明が解決しようとする課題】
【０００５】
ところで、図５に示した基板用コネクタの実装構造では、コネクタハウジング１２１を側方から回路基板１１０に装着する必要があり、取付方向が限定されるため、実装作業性が悪いという問題があった。また、予めコネクタハウジング１２１に収容してあるコネクタ端子の摺動接触部１２２を回路基板１１０上の回路導体１１２に摺動させる必要があるので、回路導体１１２に傷がついたりバリが発生したりする心配があった。
【０００６】
本発明は、上記事情を考慮し、回路基板に対して実装しやすい方向からコネクタハウジングを組み付けることができると共に、回路基板側の導体に何ら傷やバリ等を生じさせる心配のない基板用コネクタの実装構造を提供することを目的とする。
【課題を解決するための手段】
【０００７】
上記課題を解決するために、請求項１の発明の基板用コネクタの実装構造は、回路基板の側縁部に、１つの側縁が外方に開放し、残る直線状の３つの側縁で画成された長方形状の切欠を形成し、その長方形状の切欠の前記直線状の３つの側縁のうち、真っ直ぐ外方を向いた中央の側縁を端子配列側縁部とし、該端子配列側縁部に、該端子配列側縁部から外方に向けて互いに平行に突出し且つ当該端子配列側縁部の長手方向に沿って配列された多数の端子を設け、一方、前記回路基板の長方形状の切欠に嵌まる大きさのコネクタハウジングの下面に、前記切欠の上方ないし側方から前記コネクタハウジングを該切欠に装着した際に、前記端子がそれぞれ収容される端子収容溝を形成し、前記切欠に前記コネクタハウジングを嵌め込むことで、前記各端子収容溝に前記端子を収容し、それにより、前記端子をコネクタ端子とする基板用コネクタを構成したことを特徴とする。
【０００８】
請求項２の発明は、請求項１記載の基板用コネクタの実装構造であって、前記コネクタハウジングに、相手コネクタを嵌合するためのフード部の後面壁として、前記回路基板に対して略垂直な端子支持壁が設けられており、該端子支持壁の下部に前記端子収容溝が形成されると共に、その上部の端子支持壁上に前記端子とは別の接続端子が貫通保持され、前記端子支持壁の後方に突き出した前記接続端子の後端部が前記回路基板上の回路導体に接合され、該接続端子の前記端子支持壁からフード部内に突き出した前端部が、前記基板用コネクタの別のコネクタ端子とされていることを特徴とする。
【０００９】
請求項３の発明は、請求項１または２に記載の基板用コネクタの実装構造であって、前記長方形状の切欠の直線状の３つの側縁のうち、残りの互いに対向する２つの側縁をコネクタハウジング支持側縁部とすると共に、前記コネクタハウジングの両外側部に、前記コネクタハウジング支持側縁部に載る載置部を設け、前記切欠に前記コネクタハウジングを嵌め込むことで、前記コネクタハウジングの載置部を前記回路基板のコネクタハウジング支持側縁部に載せたことを特徴とする。
【００１０】
請求項４の発明は、請求項３に記載の基板用コネクタの実装構造であって、前記コネクタハウジングの載置部に、前記基板用コネクタの回路の中の一部の回路を構成するための導体が設けられており、その導体が、前記コネクタハウジング支持側縁部上に形成された回路導体に接続されていることを特徴とする。
【発明の効果】
【００１１】
請求項１の発明の基板用コネクタの実装構造によれば、コネクタハウジングを回路基板の上方ないし側方から回路基板の側縁部に形成した切欠に装着することにより、簡単に、回路基板側に設けた端子をコネクタ端子として使用した基板用コネクタを構成することができる。このように、コネクタハウジングを回路基板の上方からも側方からも装着できるので、実装作業性がよい。また、回路基板に設けた端子を直接コネクタハウジングの端子収容溝に収容してコネクタ端子として使用するので、回路基板側の導体に傷がついたりバリが発生したりする等の心配もない。
【００１２】
請求項２の発明の基板用コネクタの実装構造によれば、回路基板に設けた回路導体に接合する接続端子も同じコネクタハウジングに装備しているので、多種のコネクタ端子を持つ基板用コネクタを容易に構成することができる。
【００１３】
請求項３の発明の基板用コネクタの実装構造によれば、回路基板に対するコネクタハウジングの取付状態を安定させることができると共に取付強度を高めることができる。
【００１４】
請求項４の発明の基板用コネクタの実装構造によれば、コネクタハウジングの外側においてコネクタ側の回路と回路基板側の回路を導通させることができる。従って、例えばアース回路として有効に利用することができる。
【図面の簡単な説明】
【００１５】
【図１】本発明の実施形態の基板用コネクタの実装構造の説明図で、コネクタ実装前の状態を示す斜視図である。
【図２】同実装構造のコネクタ実装後の状態を示す斜視図である。
【図３】図１のＡ矢視図である。
【図４】図２のＢ矢視図である。
【図５】従来例を示す斜視図である。
【発明を実施するための形態】
【００１６】
以下、本発明の実施形態を図面を参照しながら説明する。
【００１７】
図１は実施形態の基板用コネクタの実装構造の説明図で、コネクタ実装前の状態を示す斜視図、図２はコネクタ実装後の状態を示す斜視図、図３は図１のＡ矢視図、図４は図２のＢ矢視図である。
【００１８】
この実装構造では、回路基板１０の側縁部に、１つの側縁が外方に開放し、残る直線状の３つの側縁で画成された長方形状の切欠１１が形成され、長方形状の切欠１１の直線状の３つの側縁のうち、真っ直ぐ外方を向いた中央の側縁が端子配列側縁部１１ａとされ、残りの互いに対向する２つの側縁がコネクタハウジング支持側縁部１１ｂとされている。そして、端子配列側縁部１１ａに、該端子配列側縁部１１ａから外方に向けて互いに平行に突出し且つ端子配列側縁部１１ｂの長手方向に沿って配列された多数の端子１３が設けられている。また、端子配列側縁部１１ａの背後の回路基板１０上に回路導体１４が配設されている。
【００１９】
一方、回路基板１０の長方形状の切欠１１に嵌まる大きさのコネクタハウジング２０の両外側部には、コネクタハウジング支持側縁部１１ｂに載る載置部２５が設けられると共に、コネクタハウジングの下面に、切欠１１の上方ないし側方からコネクタハウジング２０を切欠１１に装着した際に、端子１３がそれぞれ収容される端子収容溝２３が形成されている。
【００２０】
また、コネクタハウジング２０には、相手コネクタを嵌合するためのフード部２１の後面壁として、回路基板１０に対して略垂直な端子支持壁２１ａが設けられており、その端子支持壁２１ａの下部に端子収容溝２３が形成されると共に、その上部の端子支持壁２１ａ上に接続端子２４が貫通保持されている。
【００２１】
また、コネクタハウジング２０の外側部に配置した載置部２５は、基板用コネクタＭの回路の中の一部の回路を構成する金属板２５（導体）で構成されており、その金属板２５が、コネクタハウジング支持側縁部１１ｂ上に形成された回路導体１５の上に載った状態で、半田付けにより接続されるようになっている。
【００２２】
さらに、回路基板１０の端子配列側縁部１１ａとコネクタハウジング支持側縁部１１ｂの交わる隅部には、コネクタハウジング２０を上方から回路基板１０に装着する際に、コネクタハウジング２０の外面に形成された位置決め突片２６のスライド係合する係合溝１６が形成されている。
【００２３】
この基板用コネクタの実装構造を組み立てる場合は、回路基板１０の切欠１１に上方からコネクタハウジング２０を嵌め込むことで、コネクタハウジング２０の載置部（金属板）２５を回路基板１０のコネクタハウジング支持側縁部１１ｂに載せる。また、コネクタハウジング１０の各端子収容溝２３に、回路基板１０の端子配列側縁部１１ａに配列した端子１３をそれぞれ収容する。また、コネクタハウジング２０の端子支持壁２１ａの後方に突き出した接続端子２４の後端部２４ａを、回路基板１０上の回路導体１４に接触させる。
【００２４】
そして、その状態で、コネクタハウジング２０の載置部（金属板）２５を回路基板１０のコネクタハウジング支持側縁部１１ｂの回路導体１５に半田付けにより接合すると共に、接続端子２４の後端部２４ａを回路基板１０上の回路導体１４に半田付けにより接合する。
【００２５】
以上により、図２及び図４に示すように、回路基板１０側の端子１３を下段のコネクタ端子とし、接続端子２４の端子支持壁２１ａからフード部２１内に突き出した前端部２４ｂを上段のコネクタ端子とする基板用コネクタＭの実装構造を完成させることができる。
【００２６】
なお、コネクタハウジング２０の位置決め突片２６がない場合は、コネクタハウジング２０を側方（切欠１１の前方）から回路基板１０の切欠１１に装着することも可能である。ただし、その場合は、接続端子２４の後端部２４ａで回路導体１４をあまり擦らないように注意する必要がある。
【００２７】
以上のように本実施形態の実装構造によれば、コネクタハウジング２０を回路基板１０の上方（ないし側方）から回路基板１０の側縁部に形成した切欠１１に装着することにより、簡単に、回路基板１０側に設けた端子１３をコネクタ端子として使用した基板用コネクタＭを構成することができる。このように、コネクタハウジング２０を回路基板１０の上方から装着できるので、実装作業性がよい。また、回路基板１０に設けた端子１３を直接コネクタハウジング２０の端子収容溝２３に収容してコネクタ端子として使用するので、回路基板１０側の導体に傷がついたりバリが発生したりする等の心配もなくせる。
【００２８】
また、回路基板１０に設けた回路導体１４に接合する接続端子２４も同じコネクタハウジング２０に装備しているので、多種のコネクタ端子を持つ基板用コネクタＭを容易に構成することができる。
【００２９】
また、コネクタハウジング２０の外側部に設けた載置部２５を回路基板１０のコネクタハウジング支持側縁部１１ｂに載せるので、回路基板１０に対するコネクタハウジング２０の取付状態を安定させることができると共に取付強度を高めることができる。
【００３０】
しかも、載置部２５を金属板で構成して、コネクタハウジング支持側縁部１１ｂ側の回路導体１５に半田付けするようにしているので、コネクタハウジング２０の外側においてコネクタ側の回路と回路基板１０側の回路との接続を行うことができ、例えばアース回路として有効に利用することができる。
【００３１】
また、コネクタハウジング２０と回路基板１０に位置決め突片２６と係合溝１６を設けているので、コネクタハウジング２０を上から装着する際の位置決めを容易に行うことができ、実装作業性の向上が図れる。
【符号の説明】
【００３２】
Ｍ  基板用コネクタ
１０  回路基板
１１  長方形状の切欠
１１ａ  端子配列側縁部
１１ｂ  コネクタハウジング支持側縁部
１３  端子
１４  回路導体
１５  回路導体
１６  係合溝
２０  コネクタハウジング
２１  フード部
２１ａ  端子支持壁
２３  端子収容溝
２４  接続端子
２４ａ  後端部
２４ｂ  前端部
２５  載置部（導体）
２６  位置決め突片
【図１】
2011076751.tif 000003
【図２】
2011076751.tif 000004
【図３】
2011076751.tif 000005
【図４】
2011076751.tif 000006
【図５】
2011076751.tif 000007